(57)【特許請求の範囲】
【請求項１】
同期信号を含むプレアンブル部と、データ信号を含むペイロード部とを有し、位相不連続性を防ぐためのロールオフ期間が設けられている送信信号であって、同期信号のサンプル数がデータ信号のサンプル数よりも少ない前記送信信号を受信するデータ受信装置であって、
前記送信信号を受信するフロントエンド部と、
前記同期信号に基づいて、同期検出処理を実行し、同期タイミングを取得する同期検出部と、
前記同期検出部により取得された同期タイミングに基づいて、前記フロントエンド部から前記同期信号を取得し、前記同期信号に対して、第１シフト量δによりシフトされたプレアンブル用ＦＦＴ窓を設定し、前記同期信号に対して、前記プレアンブル用ＦＦＴ窓により、ＦＦＴ処理を実行するプレアンブル用ＦＦＴ部と、
前記プレアンブル用ＦＦＴ部により取得された信号に基づいて、伝送特性データを取得する伝送特性データ取得部と、
前記伝送特性データ取得部により取得された前記伝送特性データに対して、逆フーリエ変換処理を実行する逆フーリエ変換部と、
前記逆フーリエ変換部により取得された信号に対して、時間領域シフト量Ｍによるシフト処理と内挿処理を実行する時間領域信号調整部と、
前記時間領域信号調整部により取得された信号に対して、フーリエ変換処理を実行するフーリエ変換部と、
前記フーリエ変換部により取得された信号に対して、前記時間領域信号調整部によるシフト処理の逆シフト処理に相当する位相調整処理を実行し、伝送路情報を取得する位相調整部と、
前記位相調整部により取得された前記伝送路情報を保持するバッファ部と、
前記同期検出部により取得された同期検出タイミングに基づいて、前記フロントエンド部から前記データ信号を取得し、前記第１シフト量δと、ロールオフ期間ＲＩに相当する第２シフト量ＲＩとに基づいて、前記データ信号に対して、シフト量（ＲＩ＋δ）によりシフトされたデータブロック用ＦＦＴ窓を設定し、前記データ信号に対して、前記データブロック用ＦＦＴ窓により、ＦＦＴ処理を実行するペイロード用ＦＦＴ部と、
前記バッファ部に保持されている前記伝送路情報に基づいて、前記ペイロード用ＦＦＴ部により取得された信号に対する伝送特性補正処理を実行するとともに、前記ロールオフ期間ＲＩに相当する第２シフト量ＲＩに基づく位相補正を行う伝送特性補正部と、
を備えるデータ受信装置。
【請求項２】
前記時間領域信号調整部は、
前記逆フーリエ変換部により取得された信号に対して、閾値Ｔｈ以下の信号成分の信号値を、元の信号値の絶対値よりも絶対値が小さい信号値に置換することでノイズ低減処理を実行するノイズ低減処理部と、
前記ノイズ低減処理部により取得された信号に対して、前記時間領域シフト量Ｍによるシフト処理を実行するインパルスシフト部と、
前記インパルスシフト部により取得された信号に対して、当該信号のサンプル数が、前記データ信号のサンプル数と同じになるように、内挿処理を実行する内挿部と、
を備える、
請求項１に記載のデータ受信装置。
【請求項３】
前記ノイズ低減処理部は、
前記逆フーリエ変換部により取得された信号に対して、閾値Ｔｈ以下の信号成分の信号値を、信号値「０」にすることでノイズ低減処理を実行する、
請求項２に記載のデータ受信装置。
【請求項４】
同期信号を含むプレアンブル部と、データ信号を含むペイロード部とを有し、位相不連続性を防ぐためのロールオフ期間が設けられている送信信号であって、同期信号のサンプル数がデータ信号のサンプル数よりも少ない前記送信信号を受信するデータ受信方法であって、
前記送信信号を受信するフロントエンドステップと、
前記同期信号に基づいて、同期検出処理を実行し、同期タイミングを取得する同期検出ステップと、
前記同期検出ステップにより取得された同期タイミングに基づいて、前記同期信号を取得し、前記同期信号に対して、第１シフト量δによりシフトされたプレアンブル用ＦＦＴ窓を設定し、前記同期信号に対して、前記プレアンブル用ＦＦＴ窓により、ＦＦＴ処理を実行するプレアンブル用ＦＦＴステップと、
前記プレアンブル用ＦＦＴステップにより取得された信号に基づいて、伝送特性データを取得する伝送特性データ取得ステップと、
前記伝送特性データ取得ステップにより取得された前記伝送特性データに対して、逆フーリエ変換処理を実行する逆フーリエ変換ステップと、
前記逆フーリエ変換ステップにより取得された信号に対して、時間領域シフト量Ｍによるシフト処理と内挿処理を実行する時間領域信号調整ステップと、
前記時間領域信号調整ステップにより取得された信号に対して、フーリエ変換処理を実行するフーリエ変換ステップと、
前記フーリエ変換ステップにより取得された信号に対して、前記時間領域信号調整ステップによるシフト処理の逆シフト処理に相当する位相調整処理を実行し、伝送路情報を取得する位相調整ステップと、
前記位相調整ステップにより取得された前記伝送路情報を保持する保持ステップと、
前記同期検出ステップにより取得された同期タイミングに基づいて、前記データ信号を取得し、前記第１シフト量δと、ロールオフ期間ＲＩに相当する第２シフト量ＲＩとに基づいて、前記データ信号に対して、シフト量（ＲＩ＋δ）によりシフトされたデータブロック用ＦＦＴ窓を設定し、前記データ信号に対して、前記データブロック用ＦＦＴ窓により、ＦＦＴ処理を実行するペイロード用ＦＦＴステップと、
前記保持ステップで保持された前記伝送路情報に基づいて、前記ペイロード用ＦＦＴステップにより取得された信号に対する伝送特性補正処理を実行するとともに、前記ロールオフ期間ＲＩに相当する第２シフト量ＲＩに基づく位相補正を行う伝送特性補正ステップと、
を備えるデータ受信方法をコンピュータで実行させるためのプログラム。
【請求項５】
同期信号を含むプレアンブル部と、データ信号を含むペイロード部とを有し、位相不連続性を防ぐためのロールオフ期間が設けられている送信信号であって、同期信号のサンプル数がデータ信号のサンプル数よりも少ない前記送信信号を受信するデータ受信装置に用いられる集積回路であって、
前記送信信号を受信するフロントエンド部と、
前記同期信号に基づいて、同期検出処理を実行し、同期タイミングを取得する同期検出部と、
前記同期検出部により取得された同期タイミングに基づいて、前記フロントエンド部から前記同期信号を取得し、前記同期信号に対して、第１シフト量δによりシフトされたプレアンブル用ＦＦＴ窓を設定し、前記同期信号に対して、前記プレアンブル用ＦＦＴ窓により、ＦＦＴ処理を実行するプレアンブル用ＦＦＴ部と、
前記プレアンブル用ＦＦＴ部により取得された信号に基づいて、伝送特性データを取得する伝送特性データ取得部と、
前記伝送特性データ取得部により取得された前記伝送特性データに対して、逆フーリエ変換処理を実行する逆フーリエ変換部と、
前記逆フーリエ変換部により取得された信号に対して、時間領域シフト量Ｍによるシフト処理と内挿処理を実行する時間領域信号調整部と、
前記時間領域信号調整部により取得された信号に対して、フーリエ変換処理を実行するフーリエ変換部と、
前記フーリエ変換部により取得された信号に対して、前記時間領域信号調整部によるシフト処理の逆シフト処理に相当する位相調整処理を実行し、伝送路情報を取得する位相調整部と、
前記位相調整部により取得された前記伝送路情報を保持するバッファ部と、
前記同期検出部により取得された同期タイミングに基づいて、前記フロントエンド部から前記データ信号を取得し、前記第１シフト量δと、ロールオフ期間ＲＩに相当する第２シフト量ＲＩとに基づいて、前記データ信号に対して、シフト量（ＲＩ＋δ）によりシフトされたデータブロック用ＦＦＴ窓を設定し、前記データ信号に対して、前記データブロック用ＦＦＴ窓により、ＦＦＴ処理を実行するペイロード用ＦＦＴ部と、
前記バッファ部に保持されている前記伝送路情報に基づいて、前記ペイロード用ＦＦＴ部により取得された信号に対する伝送特性補正処理を実行するとともに、前記ロールオフ期間ＲＩに相当する第２シフト量ＲＩに基づく位相補正を行う伝送特性補正部と、
を備える集積回路。
【発明の詳細な説明】
【技術分野】
【０００１】
本発明は、パイロット信号を用いて伝送路を推定し、等化処理を行う技術に関する。
【背景技術】
【０００２】
通信システムにおいて、パイロット信号（既知信号）とデータ信号とを送信し、受信側で、パイロット信号を使って伝送路推定を行い、得られた伝送路情報を、パイロット信号以外の信号に適用し等化処理を行う技術がある（例えば、特許文献１を参照）。
【０００３】
例えば、図１０に示す通信システム９０００において、図１に示す送信信号を伝送する場合について考察する。
【０００４】
図１は、送信信号の一部を抽出して示した図である。図１に示すように、送信信号は、プレアンブルとペイロードとを含む。
【０００５】
プレアンブルは、図１に示すように、Ｍ個（Ｍ：自然数、例えば、Ｍ＝１０）の同期用のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルＳＹＮＣＰを含む。１つの同期用のＯＦＤＭシンボルＳＹＮＣＰはＮ個（Ｎ：自然数）のサンプル（データ）を含む。なお、Ｍ個の同期用のＯＦＤＭシンボルＳＹＮＣＰは、それぞれ、同一のものである。
【０００６】
ペイロードは、図１に示すように、ガードインターバルＧＩと、データ用のＯＦＤＭシンボルＤａｔａとを含む。ガードインターバルＧＩは、例えば、１．５×Ｎ個のサンプルを含む。なお、１．５×Ｎは、整数であることが好ましい。なお、ガードインターバルＧＩと、データ用のＯＦＤＭシンボルＤａｔａとを含めて、「データ用の拡張ＯＦＤＭシンボル」と呼ぶ。
【０００７】
データ用のＯＦＤＭシンボルＤａｔａは、Ｌ×Ｎ個（Ｌ：自然数、例えば、Ｌ＝８）のサンプルを含む。なお、以下では、説明便宜のため、Ｌ＝８として説明する。
【０００８】
図１０は、従来の通信システム９０００の概略構成を示す図である。通信システム９０００は、ＯＦＤＭ変調方式によりデータ通信を行う通信システムである。通信システム９０００は、図１０に示すように、データ送信装置Ｔｘ１と、データ受信装置９００とを備える。
【０００９】
まず、データ送信装置Ｔｘ１での処理について、説明する。
【００１０】
データ送信装置Ｔｘ１は、例えば、データに対して、ＰＳＫ（Ｐｈａｓｅ  Ｓｈｉｆｔ  Ｋｅｙｉｎｇ）やＱＡＭ（Ｑｕａｄｒａｔｕｒｅ  Ａｍｐｌｉｔｕｄｅ  Ｍｏｄｕｌａｔｉｏｎ）による変調を行い、送信データ系列を取得する。そして、データ送信装置Ｔｘ１は、取得した送信データ系列に対して、直／並列変換を行い、さらに、逆離散フーリエ変換処理を実行する。
【００１１】
具体的には、データ送信装置Ｔｘ１は、ある既知のデータ（既知パターン）に対して逆離散フーリエ変換処理を行うことで取得したＯＦＤＭシンボルＳＹＮＣＰと、送信するデータに対して逆離散フーリエ変換処理を行うことで取得したＯＦＤＭシンボルＤａｔａとを、図１に示すような送信フレームを形成し、送信する。なお、図１において、プレアンブルとペイロードとの間には、フレームコントロールというようなＯＦＤＭシンボルが挿入される。
【００１２】
データ送信装置Ｔｘ１は、上記のようにして取得された信号を、伝送媒体（例えば、電力線）を介して、データ受信装置９００に送信する。
【００１３】
なお、以下では、伝送媒体を電力線として、データ通信を行う場合について、説明する。図１０では、データ送信装置Ｔｘ１およびデータ受信装置９００は、電力線ＰＬに接続されており、電力線ＰＬを介して、データ通信を行う。
【００１４】
また、説明便宜のため、図１０に示すように、データ送信装置Ｔｘ１から出力されるＯＦＤＭ信号のうち、（１）ペイロード部分の信号を信号Ｄ０とし、信号Ｄ０の離散時間信号としての表記をｄ（ｎ）とし、（２）同期用のＯＦＤＭシンボルＳＹＮＣＰに対応する部分の信号を信号Ｄｐ０として表記し、信号Ｄｐ０の離散時間信号としての表記をｐ（ｎ）とする。
【００１５】
次に、データ受信装置９００での処理について、説明する。
【００１６】
データ受信装置９００は、図１０に示すように、ＦＥ部（フロントエンド部）９１と、同期検出部９１Ａと、ペイロード用ＦＦＴ部９２と、プレアンブル用ＦＦＴ部９３と、第１除算部９４と、ＬＰＦ部９５と、内挿部９６と、バッファ部９７と、第２除算部９８と、復調部９９とを備える。
【００１７】
データ受信装置９００は、ＦＥ部９１で、データ送信装置Ｔｘ１から送信されたＯＦＤＭ信号を受信する。同期検出部９１Ａは、受信したＯＦＤＭ信号のプレアンブルに対して同期検出処理を行い、シンボル同期などをとる。
【００１８】
プレアンブル用ＦＦＴ部９３は、受信したＯＦＤＭ信号のプレアンブルの信号Ｄｐ９１を入力する。プレアンブル用ＦＦＴ部９３は、同期タイミングに基づいて、所定のタイミングで、Ｎ個のサンプルを切り出し、Ｎ個のサンプルに対してＦＦＴ演算処理を行い、信号Ｄｐ９２を取得する。
【００１９】
なお、通信システム９０００の伝送特性を示すインパルス応答をｈ（ｎ）と表記すると、信号Ｄｐ９１は、
Ｄｐ９１＝ｐ（ｎ）＊ｈ（ｎ）
と表現することができる。なお、「＊」は、コンボリューション演算（畳み込み積分演算）を行う演算子を示している（以下、同様）。
【００２０】
また、ｐ（ｎ）をフーリエ変換した信号をＰ（ｋ）とし、ｈ（ｎ）をプレアンブル用ＦＦＴ部９３でフーリエ変換して取得された信号をＨｐ（ｋ）と表記すると、信号Ｄｐ９２は、
Ｄｐ９２＝Ｐ（ｋ）×Ｈｐ（ｋ）
と表現することができる。
【００２１】
プレアンブル用ＦＦＴ部９３は、上記により取得した信号Ｄｐ９２（＝Ｐ（ｋ）×Ｈｐ（ｋ））を第１除算部９４に出力する。
【００２２】
第１除算部９４は、プレアンブル用ＦＦＴ部９３から出力される信号Ｄｐ９２（＝Ｐ（ｋ）×Ｈｐ（ｋ））を、既知パターンである同期パターンＰ（ｋ）（同期用のＯＦＤＭシンボルＳＹＮＣＰに含められた既知パターン）で除算する処理を実行する。つまり、第１除算部９４は、
Ｄｐ９３＝Ｄｐ９２／Ｐ（ｋ）
＝（Ｐ（ｋ）×Ｈｐ（ｋ））／Ｐ（ｋ）
＝Ｈｐ（ｋ）
に相当する処理を実行し、信号Ｄｐ９３（＝Ｈｐ（ｋ））を取得する。
【００２３】
なお、データ受信装置９００は、予め、同期パターンＰ（ｋ）を取得しているものとする。
【００２４】
第１除算部９４は、取得した信号Ｄｐ９３（＝Ｈｐ（ｋ））をＬＰＦ部９５に出力する。
【００２５】
ＬＰＦ部９５は、第１除算部９４から出力される信号Ｄｐ９３（＝Ｈｐ（ｋ））に対して、ＬＰＦ処理を実行し、帯域外のノイズ成分を抑制する。そして、ＬＰＦ部９５は、ＬＰＦ処理後の信号を信号Ｄｐ９４として、内挿部９６に出力する。なお、信号Ｄｐ９４をＨｐ１（ｋ）と表記する。
【００２６】
内挿部９６は、ＬＰＦ部９５から出力される信号Ｄｐ９４（＝Ｈｐ１（ｋ））に対して、サンプル点（離散データ数）が８倍となるように、内挿処理を実行し、内挿処理後の信号をＤｐ９５として取得する。なお、信号Ｄｐ９５をＨｐ２（ｋ）と表記する。
【００２７】
内挿部９６は、取得した信号Ｄｐ９５をバッファ部９７に出力する。
【００２８】
バッファ部９７は、内挿部９６から出力される信号Ｄｐ９５（＝Ｈｐ２（ｋ））を格納し、所定のタイミング（第２除算部９８で、信号Ｄ９２を信号Ｄｐ９６で除算することが可能となるタイミング）で、第２除算部９８に、信号Ｄｐ９６として、出力する。なお、信号Ｄｐ９６をＨｐ３（ｋ）と表記する。
【００２９】
ＦＥ部９１は、プレアンブルの信号を受信した後、ペイロードの信号を受信する。
【００３０】
ペイロード用ＦＦＴ部９２は、同期タイミングに基づいて、所定のタイミングで、データ用の拡張ＯＦＤＭシンボル内の８×Ｎ個のサンプルのＯＦＤＭシンボルを切り出し、８×Ｎ個のサンプルに対してＦＦＴ演算処理を行い、信号Ｄ９２を取得する。
【００３１】
なお、通信システム９０００の伝送特性を示すインパルス応答をｈ（ｎ）と表記すると、信号Ｄ９１は、
Ｄ９１＝ｄ（ｎ）＊ｈ（ｎ）
と表現することができる。なお、「＊」は、コンボリューション演算（畳み込み積分演算）を行う演算子を示している。
【００３２】
また、ｄ（ｎ）をフーリエ変換した信号をＤ（ｋ）とし、ｈ（ｎ）をペイロード用ＦＦＴ部９２でフーリエ変換して取得された信号をＨｄ（ｋ）と表記すると、信号Ｄ９２は、
Ｄ９２＝Ｄ（ｋ）×Ｈｄ（ｋ）
と表現することができる。
【００３３】
ペイロード用ＦＦＴ部９２は、上記により取得した信号Ｄ９２（＝Ｄ（ｋ）×Ｈｄ（ｋ））を第２除算部９８に出力する。
【００３４】
第２除算部９８は、ペイロード用ＦＦＴ部９２から出力される信号Ｄ９２（８×Ｎ個のサンプルの信号Ｄ９２）を、バッファ部９７から出力される信号Ｄｐ９６（８×Ｎ個のサンプルの信号Ｄｐ９６）で、除算する処理を行い、信号Ｄ９３を取得する。つまり、第２除算部９８は、
Ｄ９３＝Ｄ９２／Ｄｐ９６
＝Ｄ（ｋ）×Ｈｄ（ｋ）／Ｈ３（ｋ）
に相当する処理を実行することで、信号Ｄ９３を取得する。
【００３５】
具体的には、第２除算部９８は、信号Ｄ９２の８×Ｎ個のサンプル（データ）を、それぞれ、信号Ｄｐ９６の８×Ｎ個のサンプル（データ）で除算する処理を行い、信号Ｄ９３を取得する。
【００３６】
第２除算部９８は、取得した信号Ｄ９３（＝Ｄ（ｋ）×Ｈｄ（ｋ）／Ｈｐ３（ｋ））を、復調部９９に出力する。
【００３７】
復調部９９は、第２除算部９８から出力される信号Ｄ９３（＝Ｄ（ｋ）×Ｈｄ（ｋ）／Ｈｐ３（ｋ））に対して、復調処理（データ送信装置Ｔｘの変調処理に対応する復調処理（例えば、ＰＳＫ復調処理、ＱＡＭ復調処理））を行い、信号Ｄｏｕｔを取得する。
【００３８】
以上のように、データ受信装置９００は、予め信号パターンが分かっている同期パターン（同期用のＯＦＤＭシンボルＳＹＮＣＰに含められた既知パターン）を用いて、伝送路特性を推定し（伝送路伝達関数を取得し）、推定した伝送路特性（取得した伝送路伝達関数）に基づいて、信号Ｄ９２を補正することで、信号Ｄ９３を取得する。
【００３９】
データ受信装置９００では、同期パターンのサンプル数（Ｎ個）と、ペイロード用のＯＦＤＭシンボルのサンプル数（Ｌ×Ｎ個）とが異なる場合であっても、同期パターンから推定した伝送路伝達関数Ｈｐ（ｋ）をＬ倍に内挿処理して、ペイロード用のＯＦＤＭシンボルのサンプル数（Ｌ×Ｎ個）に一致させた伝送路伝達関数Ｈｐ３（ｋ）を取得することができる。つまり、データ受信装置９００では、同期パターンのサンプル数（Ｎ個）と、ペイロード用のＯＦＤＭシンボルのサンプル数（Ｌ×Ｎ個）とが異なる場合であっても、適切に伝送路推定処理を行うことができる。
【００４０】
そして、データ受信装置９００では、上記で示した、ペイロードの伝送路伝達関数Ｈｄ（ｋ）と、同期パターンから推定した伝送路伝達関数Ｈｐ３（ｋ）とが同じであれば、Ｈｄ（ｋ）／Ｈｐ３（ｋ）の値が「１」となる。この場合、信号Ｄ９３は、Ｄ（ｋ）と同値となる。
【００４１】
したがって、データ受信装置９００では、Ｈｄ（ｋ）とＨｐ３（ｋ）とが等しい値となる場合、信号Ｄ９３は、Ｄ（ｋ）に等しい信号となり、信号Ｄ９３に対して復調処理を行うことで、送信されたデータと同一の復調データＤｏｕｔを取得することができる。
【先行技術文献】
【特許文献】
【００４２】
【特許文献１】特開２００９−１４１５１４号公報
【発明の概要】
【発明が解決しようとする課題】
【００４３】
しかしながら、上記で説明したデータ受信装置９００での伝送路特性推定処理は、理想的な条件での処理であり、実際の処理では、以下の問題点を有する。
【００４４】
まず、第１の問題点について、説明する。
【００４５】
データ受信装置９００において、シンボル同期処理の誤差の発生は避けられないので、ペイロード用のＯＦＤＭシンボルの切り出し位置を正確に特定することが困難である。シンボル同期処理の誤差が発生している場合であっても、ペイロード用のＯＦＤＭシンボルの切り出し位置、すなわち、ペイロード用のＯＦＤＭシンボル用のＦＦＴ窓の位置が隣のシンボルにずれ込まないように、予め、ペイロード用のＯＦＤＭシンボル用のＦＦＴ窓をガードインターバルＧＩ内にずらしておく必要がある。
【００４６】
図１１は、図１と同様に、プレアンブルと、ペイロードとを含む信号を示した図であり、データ受信装置９００で受信した場合におけるＦＦＴ窓の位置を明示した図である。
【００４７】
図１１において、ＦＦＴ窓ＦＦＴｗ１は、同期用のＯＦＤＭシンボルＳＹＮＣＰ用のＦＦＴ窓の位置を示しており、ＦＦＴ窓ＦＦＴｗ２は、データ用のＯＦＤＭシンボルＤａｔａ用のＦＦＴ窓の位置を示している。
【００４８】
図１１では、同期用のＯＦＤＭシンボルＳＹＮＣＰ用のＦＦＴ窓ＦＦＴｗ１（以下、「ＳＹＮＣＰ用ＦＦＴ窓ｗ１」という。）は、シフト量δだけ前方にシフトされている。また、図１１では、データ用のＯＦＤＭシンボルＤａｔａ用のＦＦＴ窓ｗ２（以下、「Ｄａｔａ用ＦＦＴ窓ｗ２」という。）も、シフト量δだけ前方にシフトされている。
【００４９】
同期用のＯＦＤＭシンボルＳＹＮＣＰのサンプル（Ｎ個のサンプル）から伝送路伝達関数を取得し、取得した伝送路伝達関数により、データ用のＯＦＤＭシンボルＤａｔａのサンプルに対して、伝送路推定処理を実行するためには、フーリエ変換の時間シフトの関係上、ＳＹＮＣＰ用ＦＦＴ窓ＦＦＴｗ１のシフト量と、Ｄａｔａ用ＦＦＴ窓ＦＦＴｗ２のシフト量とが等しくなくてはならない。
【００５０】
さらに、同期用のＯＦＤＭシンボルＳＹＮＣＰのサンプルに対するＦＦＴ処理では、Ｎ個のサンプルに対して、ＦＦＴ処理が実行されるため、ＳＹＮＣＰ用ＦＦＴ窓ＦＦＴｗ１のシフト量が、ナイキスト値であるＮ／２に相当する時間（Ｎ／２個のサンプルが伝送される時間（１つの同期用のＯＦＤＭシンボルＳＹＮＣＰが伝送される時間の半分の時間））よりも大きい場合、プレアンブル用ＦＦＴ部９３によるＦＦＴ処理により取得される信号が正しい信号にならない。
【００５１】
したがって、上記で説明したデータ受信装置９００での伝送路特性推定処理では、（１）ＳＹＮＣＰ用ＦＦＴ窓ＦＦＴｗ１のシフト量と、Ｄａｔａ用ＦＦＴ窓ＦＦＴｗ２のシフト量とを等しくし、かつ、（２）ＳＹＮＣＰ用ＦＦＴ窓ＦＦＴｗ１およびＤａｔａ用ＦＦＴ窓ＦＦＴｗ２のシフト量を、ナイキスト値であるＮ／２に相当する時間（Ｎ／２個のサンプルが伝送される時間（１つの同期用のＯＦＤＭシンボルＳＹＮＣＰが伝送される時間の半分の時間））以下にしなければならない、という制限がある。
【００５２】
次に、第２の問題点について、説明する。
【００５３】
図１１では、ＲＩ期間を明示した図を、送信信号を示す図に追加して示している。
【００５４】
図１１に示すように、実際にデータ伝送を行う場合、データ用の拡張ＯＦＤＭシンボル間において、ロールオフフィルタを施す期間であるＲＩ期間を設ける必要がある。そして、このＲＩ期間が、Ｄａｔａ用ＦＦＴ窓ＦＦＴｗ２のシフト量δよりも大きい場合、ＦＦＴ窓ＦＦＴｗ２により切り出したサンプル（ＧＩ部分を含むサンプル）に対して、ＦＦＴ処理（ペイロード用ＦＦＴ部９２によるＦＦＴ処理）を実行しても正しいデータは取得されない。つまり、ＲＩ区間は、隣接するシンボルとの間の位相連続性を確保するために、隣接シンボル（隣接する拡張ＯＦＤＭシンボル）と信号波形を重ね合わせている区間であるので、ＲＩ区間を含んで、ＦＦＴ処理を行っても正しい信号を取得することはできない。
【００５５】
つまり、ＲＩ区間内に、ＦＦＴｗ２が入らないようにしなければならないという問題点がある。
【００５６】
次に、第３の問題点について、説明する。
【００５７】
図１２は、図１と同様に、プレアンブルと、ペイロードとを含む信号を示した図であり、データ受信装置９００で受信される主波と反射波（主波に対して時間ｔ１だけ遅延して受信された信号）との関係を示している。
【００５８】
また、図１２では、図１１と同様に、ＳＹＮＣＰ用ＦＦＴ窓ＦＦＴｗ１と、Ｄａｔａ用ＦＦＴ窓ＦＦＴｗ２とを示している。
【００５９】
なお、説明便宜のため、主波における、Ｄａｔａ用ＦＦＴ窓ＦＦＴｗ２のＧＩ内へのシフト量をδとし、ＳＹＮＣＰ用ＦＦＴ窓ＦＦＴｗ１のシフト量もδとし、主波に対する反射波の遅延時間をｔ１とする。そして、δは、同期用のＯＦＤＭシンボルＳＹＮＣＰについて、ＦＦＴ処理を行う場合のナイキスト値Ｎ／２に相当する時間以下であるとする。
【００６０】
また、（δ＋ｔ１）は、（１）同期用のＯＦＤＭシンボルＳＹＮＣＰについてＦＦＴ処理を行う場合のナイキスト値Ｎ／２に相当する時間よりも長い時間であり、かつ、（２）Ｄａｔａ用のＯＦＤＭシンボル（ＧＩ部分を含む）についてＦＦＴ処理を行う場合のナイキスト値（Ｌ×Ｎ）／２に相当する時間よりも短い時間であるものとする。
【００６１】
図１２に示す場合、主波の同期用のＯＦＤＭシンボルＳＹＮＣＰ用のＦＦＴ窓ＦＦＴｗ１のシフト量δは、同期用のＯＦＤＭシンボルＳＹＮＣＰについてのナイキスト値Ｎ／２に相当する時間以下であるので、プレアンブル用ＦＦＴ部９３によるＦＦＴ処理により正しいデータ（信号Ｄｓ９２）を取得することができる。
【００６２】
一方、反射波のＳＹＮＣＰ用ＦＦＴ窓ＦＦＴｗ１のシフト量δ＋ｔ１は、同期用のＯＦＤＭシンボルＳＹＮＣＰについてのナイキスト値Ｎ／２に相当する時間よりも長い時間であるので、プレアンブル用ＦＦＴ部９３によるＦＦＴ処理により正しいデータ（信号Ｄｓ９２）を取得することができない。その結果、データ受信装置９００で取得される伝送路伝達関数は適切なものではない。
【００６３】
なお、主波のＤａｔａ用ＦＦＴ窓ＦＦＴｗ２のシフト量δと、反射波のＤａｔａ用ＦＦＴ窓ＦＦＴｗ２のシフト量δ＋ｔ１とは、データ用のＯＦＤＭシンボルＤａｔａについてのナイキスト値（８×Ｎ）／２に相当する時間以下であるので、ペイロード用ＦＦＴ部９２によるＦＦＴ処理により正しいデータ（信号Ｄ９２）を取得することができる。しかしながら、信号Ｄ９２に対して、第２除算部９８で、除算する伝送路伝達関数Ｈｐ３（ｋ）は、上記のとおり、適切な信号として取得されなかった信号Ｄｐ９２に基づいて、取得された信号であり、適切な信号ではない。その結果、第２除算部９８から出力される信号Ｄ９３も適切な信号ではなく、復調部９９から出力される信号Ｄｏｕｔも適切な信号（正しい信号）にはならない。
【００６４】
このように、データ受信装置９００での伝送路特性推定処理では、反射波の遅延が一定値よりも大きい場合、適切な処理が実行されないという問題がある。
【００６５】
そこで、本発明は、上記問題点に鑑み、同期用のＯＦＤＭシンボルＳＹＮＣＰと同等の時間のＲＩ期間が設けられている場合であっても、適切に伝送路特性推定処理を実行し、また、反射波の遅延量が大きい場合であっても、適切に伝送路特性推定処理を実行することができるデータ受信装置、プログラム、および、集積回路を実現することを目的とする。
【課題を解決するための手段】
【００６６】
上記課題を解決するために、第１の発明は、同期信号を含むプレアンブル部と、データ信号を含むペイロード部とを有し、位相不連続性を防ぐためのロールオフ期間が設けられている送信信号であって、同期信号のサンプル数がデータ信号のサンプル数よりも少ない送信信号を受信するデータ受信装置である。データ受信装置は、フロントエンド部と、同期検出部と、プレアンブル用ＦＦＴ部と、伝送特性データ取得部と、逆フーリエ変換部と、時間領域信号調整部と、フーリエ変換部と、位相調整部と、バッファ部と、ペイロード用ＦＦＴ部と、伝送特性補正部と、を備える。
【００６７】
フロントエンド部は、送信信号を受信する。
【００６８】
同期検出部は、同期信号に基づいて、同期検出処理を実行し、同期タイミングを取得する。
【００６９】
プレアンブル用ＦＦＴ部は、同期タイミングに基づき、第１シフト量δによりシフトされたプレアンブル用ＦＦＴ窓を設定し、同期タイミングに基づき、ＦＦＴ処理を実行する。
【００７０】
伝送特性データ取得部は、プレアンブル用ＦＦＴ部により取得された信号に基づいて、伝送特性データを取得する。
【００７１】
逆フーリエ変換部は、伝送特性データ取得部により取得された伝送特性データに対して、逆フーリエ変換処理を実行する。
【００７２】
時間領域信号調整部は、逆フーリエ変換部により取得された信号に対して、時間領域シフト量Ｍによるシフト処理と内挿処理を実行する。
【００７３】
フーリエ変換部は、時間領域信号調整部により取得された信号に対して、フーリエ変換処理を実行する。
【００７４】
位相調整部は、フーリエ変換部により取得された信号に対して、時間領域信号調整部によるシフト処理の逆シフト処理に相当する位相調整処理を実行し、伝送路情報を取得する。
【００７５】
バッファ部は、位相調整部により取得された伝送路情報を保持する。
【００７６】
ペイロード用ＦＦＴ部は、同期タイミングに基づいて、第１シフト量δと、ロールオフ期間ＲＩに相当する第２シフト量ＲＩとに基づいて、データ信号に対して、シフト量（ＲＩ＋δ）によりシフトされたデータブロック用ＦＦＴ窓を設定し、データ信号に対して、データブロック用ＦＦＴ窓により、ＦＦＴ処理を実行する。
【００７７】
伝送特性補正部は、バッファ部に保持されている伝送路情報に基づいて、ペイロード用ＦＦＴ部により取得された信号に対する伝送特性補正処理を実行する。
【００７８】
このデータ受信装置では、ペイロード用ＦＦＴ部が、データブロック用ＦＦＴ窓を（ＲＩ＋δ）だけずらしてＦＦＴ処理を行うので、ＲＩ区間を除外して、ＦＦＴ処理を行うことができるため、正しくデータ復元できないＲＩ区間のデータ（サンプル）がＦＦＴ処理で使用されることを確実に防止することができる。また、このデータ受信装置では、時間領域において、信号成分をシフトし、その逆シフトに相当する処理である位相調整処理を周波数領域（フーリエ変換領域）で実行する。これにより、このデータ受信装置では、反射波に対して、プレアンブル用ＦＦＴ窓のズレ量が、同期信号について、ＦＦＴ処理を行う場合のナイキスト値Ｎ／２に相当する時間以上ずれている場合であっても、適切に推定された伝送路伝達関数を取得することができる。
【００７９】
したがって、このデータ受信装置では、ＳＹＮＣＰのような同期シンボルの期間と同等程度の時間のＲＩ期間が設けられている場合であっても、適切に伝送路特性推定処理を実行し、また、反射波の遅延量が大きい場合であっても、適切に伝送路特性推定処理を実行することができる。
【００８０】
なお、「ＦＦＴ窓」とは、信号列に対して、ＦＦＴ処理に必要な数のデータ（サンプル）を取得するために設定される領域のことをいう。
【００８１】
第２の発明は、第１の発明であって、ノイズ低減処理部と、インパルスシフト部と、内挿部と、を備える。
【００８２】
ノイズ低減処理部は、逆フーリエ変換部により取得された信号に対して、閾値Ｔｈ以下の信号成分の信号値を、元の信号値の絶対値よりも絶対値が小さい信号値に置換することでノイズ低減処理を実行する。
【００８３】
インパルスシフト部は、ノイズ低減処理部により取得された信号に対して、時間領域シフト量Ｍによるシフト処理を実行する。
【００８４】
内挿部は、インパルスシフト部により取得された信号に対して、当該信号のサンプル数が、データ信号のサンプル数と同じになるように、内挿処理を実行する。
【００８５】
このデータ受信装置では、ノイズ低減部により閾値Ｔｈ以下の信号成分が抑制できるので、効果的に精度のよい伝送路伝達関数に関するデータを取得することができる。また、このデータ受信装置では、時間領域において、信号成分をシフトする処理（インパルス応答成分をシフトする処理）、内挿処理を実行するので、効率良く、精度の高い伝送路伝達関数に関するデータを取得することができる。
【００８６】
第３の発明は、第２の発明であって、ノイズ低減処理部は、逆フーリエ変換部により取得された信号に対して、閾値Ｔｈ以下の信号成分の信号値を、信号値「０」にすることでノイズ低減処理を実行する。
【００８７】
このデータ受信装置では、ノイズ低減部により閾値Ｔｈ以下の信号成分を信号値「０」とするので、効果的に精度のよい伝送路伝達関数に関するデータを取得することができる。また、このデータ受信装置では、時間領域において、信号成分をシフトする処理（インパルス応答成分をシフトする処理）、内挿処理を実行するので、効率良く、精度の高い伝送路伝達関数に関するデータを取得することができる。
【００８８】
第４の発明は、同期信号を含むプレアンブル部と、データ信号を含むペイロード部とを有し、位相不連続性を防ぐためのロールオフ期間が設けられている送信信号であって、同期信号のサンプル数がデータ信号のサンプル数よりも少ない送信信号を受信するデータ受信方法をコンピュータで実行させるためのプログラムである。
【００８９】
データ受信方法は、フロントエンドステップと、同期検出ステップと、プレアンブル用ＦＦＴステップと、伝送特性データ取得ステップと、逆フーリエ変換ステップと、時間領域信号調整ステップと、フーリエ変換ステップと、位相調整ステップと、保持ステップと、ペイロード用ＦＦＴステップと、伝送特性補正ステップと、を備える。
【００９０】
フロントエンドステップは、送信信号を受信する。
【００９１】
同期検出ステップは、同期信号に基づいて、同期検出処理を実行し、同期タイミングを取得する。
【００９２】
プレアンブル用ＦＦＴステップは、同期タイミングに基づいて、第１シフト量δによりシフトされたプレアンブル用ＦＦＴ窓を設定し、同期信号に対して、プレアンブル用ＦＦＴ窓により、ＦＦＴ処理を実行する。
【００９３】
伝送特性データ取得ステップは、プレアンブル用ＦＦＴステップにより取得された信号に基づいて、伝送特性データを取得する。
【００９４】
逆フーリエ変換ステップは、伝送特性データ取得ステップにより取得された伝送特性データに対して、逆フーリエ変換処理を実行する。
【００９５】
時間領域信号調整ステップは、逆フーリエ変換ステップにより取得された信号に対して、時間領域シフト量Ｍによるシフト処理とゼロ挿入による内挿処理を実行する。
【００９６】
フーリエ変換ステップは、時間領域信号調整ステップにより取得された信号に対して、フーリエ変換処理を実行する。
【００９７】
位相調整ステップは、フーリエ変換ステップにより取得された信号に対して、時間領域信号調整ステップによるシフト処理の逆シフト処理に相当する位相調整処理を実行し、伝送路情報を取得する。
【００９８】
保持ステップは、位相調整ステップにより取得された伝送路情報を保持する。
【００９９】
ペイロード用ＦＦＴステップは、同期タイミングに基づいて、データ信号を取得し、第１シフト量δと、ロールオフ期間ＲＩに相当する第２シフト量ＲＩとに基づいて、データ信号に対して、シフト量（ＲＩ＋δ）によりシフトされたデータブロック用ＦＦＴ窓を設定し、データ信号に対して、データブロック用ＦＦＴ窓により、ＦＦＴ処理を実行する。
【０１００】
伝送特性補正ステップは、保持ステップで保持された伝送路情報に基づいて、ペイロード用ＦＦＴステップにより取得された信号に対する伝送特性補正処理を実行する。
【０１０１】
これにより、第１の発明と同様の効果を奏するデータ受信方法をコンピュータに実行させるプログラムを実現することができる。
【０１０２】
第５の発明は、同期信号を含むプレアンブル部と、データ信号を含むペイロード部とを有し、位相不連続性を防ぐためのロールオフ期間が設けられている送信信号であって、同期信号のサンプル数がデータ信号のサンプル数よりも少ない送信信号を受信するデータ受信装置に用いられる集積回路である。集積回路は、フロントエンド部と、同期検出部と、プレアンブル用ＦＦＴ部と、伝送特性データ取得部と、逆フーリエ変換部と、時間領域信号調整部と、フーリエ変換部と、位相調整部と、バッファ部と、ペイロード用ＦＦＴ部と、伝送特性補正部と、を備える。
【０１０３】
フロントエンド部は、送信信号を受信する。
【０１０４】
同期検出部は、同期信号に基づいて、同期検出処理を実行し、同期タイミングを取得する。
【０１０５】
プレアンブル用ＦＦＴ部は、同期タイミングに基づいて、フロントエンド部から同期信号を取得し、同期信号に対して、第１シフト量δによりシフトされたプレアンブル用ＦＦＴ窓を設定し、同期信号に対して、プレアンブル用ＦＦＴ窓により、ＦＦＴ処理を実行する。
【０１０６】
伝送特性データ取得部は、プレアンブル用ＦＦＴ部により取得された信号に基づいて、伝送特性データを取得する。
【０１０７】
逆フーリエ変換部は、伝送特性データ取得部により取得された伝送特性データに対して、逆フーリエ変換処理を実行する。
【０１０８】
時間領域信号調整部は、逆フーリエ変換部により取得された信号に対して、時間領域シフト量Ｍによるシフト処理を実行する。
【０１０９】
フーリエ変換部は、時間領域信号調整部により取得された信号に対して、フーリエ変換処理を実行する。
【０１１０】
位相調整部は、フーリエ変換部により取得された信号に対して、時間領域信号調整部によるシフト処理の逆シフト処理に相当する位相調整処理を実行し、伝送路情報を取得する。
【０１１１】
バッファ部は、位相調整部により取得された伝送路情報を保持する。
【０１１２】
ペイロード用ＦＦＴ部は、同期タイミングに基づいて、フロントエンド部からデータ信号を取得し、第１シフト量δと、ロールオフ期間ＲＩに相当する第２シフト量ＲＩとに基づいて、データ信号に対して、シフト量（ＲＩ＋δ）によりシフトされたデータブロック用ＦＦＴ窓を設定し、データ信号に対して、データブロック用ＦＦＴ窓により、ＦＦＴ処理を実行する。
【０１１３】
伝送特性補正部は、バッファ部に保持されている伝送路情報に基づいて、ペイロード用ＦＦＴ部により取得された信号に対する伝送特性補正処理を実行する。
【０１１４】
これにより、第１の発明と同様の効果を奏する集積回路を実現することができる。
【発明の効果】
【０１１５】
本発明によれば、同期用のＯＦＤＭシンボルＳＹＮＣＰと同等の時間のＲＩ期間が設けられている場合であっても、適切に伝送路特性推定処理を実行し、また、反射波の遅延量が大きい場合であっても、適切に伝送路特性推定処理を実行することができるデータ受信装置、プログラム、および、集積回路を実現することができる。
【図面の簡単な説明】
【０１１６】
【図１】送信信号の一部を抽出して示した図。
【図２】第１実施形態に係る通信システム１０００の概略構成図。
【図３Ａ】第１実施形態に係る通信システム１０００のデータ受信装置１００の概略構成図。
【図３Ｂ】第１実施形態に係る通信システム１０００の伝送特性補正部１０の概略構成図。
【図４】第１実施形態に係る通信システム１０００の時間領域信号調整部６の概略構成図。
【図５】データ受信装置１００の受信信号である主波と反射波と、ＳＹＮＣＰ用のＦＦＴ窓ｗ１と、Ｄａｔａ用ＦＦＴ窓ＦＦＴｗ２との関係を示す図。
【図６】信号Ｄｐ４（＝ｈｐ（ｎ−δ））のインパルス応答波形を示した図。
【図７】インパルスシフト部６２によるインパルスシフト処理を説明するための図。
【図８】内挿部６３による内挿処理を説明するための図。
【図９】位相調整部８による位相調整処理を説明するための図。
【図１０】従来の通信システム９０００の概略構成を示す図。
【図１１】プレアンブルと、ペイロードとを含む送信信号を示した図。
【図１２】プレアンブルと、ペイロードとを含む送信信号を示した図。
【発明を実施するための形態】
【０１１７】
［第１実施形態］
第１実施形態について、図面を参照しながら、以下、説明する。
【０１１８】
＜１．１：通信システムの構成＞
図２は、第１実施形態に係る通信システム１０００の概略構成図である。
【０１１９】
図３Ａは、第１実施形態に係る通信システム１０００のデータ受信装置１００の概略構成図である。
【０１２０】
図３Ｂは、第１実施形態に係る通信システム１０００の伝送特性補正部１０の概略構成図である。
【０１２１】
図４は、第１実施形態に係る通信システム１０００の時間領域信号調整部６の概略構成図である。
【０１２２】
図５は、データ受信装置１００の受信信号である主波と反射波と、ＳＹＮＣＰ用ＦＦＴ窓ＦＦＴｗ１と、Ｄａｔａ用ＦＦＴ窓ＦＦＴｗ２と、の関係を示す図である。
【０１２３】
なお、通信システム１０００においても、通信システム９０００と同様に、図１に示した送信信号によりデータ送受信が行われる。
【０１２４】
通信システム１０００は、ＯＦＤＭ変調方式によりデータ通信を行う通信システムである。通信システム１０００は、図２に示すように、データ送信装置Ｔｘ１と、データ受信装置１００とを備える。
【０１２５】
データ送信装置Ｔｘ１は、通信システム９０００におけるデータ送信装置Ｔｘ１と同様の構成・機能を有しており、ＯＦＤＭ信号を生成し、生成したＯＦＤＭ信号を、伝送路に出力する。
【０１２６】
なお、以下では、一例として、伝送路を電力線搬送用ネットワークとして、データ通信を行う場合について、説明する。図２では、データ送信装置Ｔｘ１およびデータ受信装置１００は、電力線ＰＬに接続されており、電力線ＰＬを介して、データ通信を行う。
【０１２７】
また、説明便宜のため、図２に示すように、データ送信装置Ｔｘ１から出力されるＯＦＤＭ信号のうち、（１）ペイロード部分の信号を信号Ｄ０とし、信号Ｄ０の離散時間信号としての表記をｄ（ｎ）とし、（２）同期用のＯＦＤＭシンボルＳＹＮＣＰに対応する部分の信号を信号Ｄｐ０として表記し、信号Ｄｐ０の離散時間信号としての表記をｐ（ｎ）とする。
【０１２８】
データ受信装置１００は、図３Ａに示すように、ＦＥ部１と、同期検出部１Ａと、ペイロード用ＦＦＴ部２と、プレアンブル用ＦＦＴ部３と、除算部４と、逆フーリエ変換部５と、時間領域信号調整部６と、フーリエ変換部７と、位相調整部８と、バッファ部９と、伝送特性補正部１０と、復調部１１と、を備える。
【０１２９】
ＦＥ部（フロントエンド部）２は、伝送路ＰＬを介して、データ送信装置Ｔｘ１から出力されるＯＦＤＭ信号を受信する。
【０１３０】
同期検出部１Ａは、受信したＯＦＤＭ信号のプレアンブルに対して同期検出処理を行い、同期タイミングを取得する。同期検出部１Ａにおいて、シンボル同期などをとる処理が実行される。
【０１３１】
プレアンブル用ＦＦＴ部３は、受信したＯＦＤＭ信号のプレアンブルの信号Ｄｐ１（＝ｐ（ｎ）＊ｈ（ｎ））を入力する。プレアンブル用ＦＦＴ部３は、同期検出部１Ａにより取得された同期タイミングに基づいて、所定のタイミングで、Ｎ個のサンプルのＯＦＤＭシンボル（プレアンブル内のＯＦＤＭシンボル）を切り出す。
【０１３２】
プレアンブル用ＦＦＴ部３は、ＦＥ部２から出力される信号Ｄｐ１（＝ｐ（ｎ）＊ｈ（ｎ））に対して、図５に示すように、δだけプレアンブルの先頭方向にシフトさせたＳＹＮＣＰ用ＦＦＴ窓ＦＦＴｗ１によりＦＦＴ処理を実行する。そして、プレアンブル用ＦＦＴ部３は、ＦＦＴ処理により取得した信号を信号Ｄｐ２として除算部４に出力する。
【０１３３】
なお、通信システム１０００の伝送特性を示すインパルス応答をｈ（ｎ）と表記すると、信号Ｄｐ１は、
Ｄｐ１＝ｐ（ｎ）＊ｈ（ｎ）
と表現することができる。なお、「＊」は、コンボリューション演算（畳み込み積分演算）を行う演算子を示している。
【０１３４】
除算部４は、プレアンブル用ＦＦＴ部３から出力される信号Ｄｐ２を入力する。除算部４は、入力された信号Ｄｐ２を、既知パターンである同期パターンＰ（ｋ）（同期用のＯＦＤＭシンボルＳＹＮＣＰに含められた既知パターン）で除算する処理を実行し、除算処理後の信号を信号Ｄｐ３として逆フーリエ変換部５に出力する。
【０１３５】
逆フーリエ変換部５は、除算部４から出力される信号Ｄｐ３を入力する。逆フーリエ変換部５は、入力された信号Ｄｐ３に対して逆ＦＦＴ変換処理を実行し、逆ＦＦＴ変換処理後の信号を信号Ｄｐ４として、時間領域信号調整部６に出力する。
【０１３６】
時間領域信号調整部６は、逆フーリエ変換部５から出力される信号Ｄｐ４を入力する。時間領域信号調整部６は、入力された信号Ｄｐ４に対して、時間領域での調整処理を実行し、処理後の信号を信号Ｄｐ５として、フーリエ変換部７に出力する。
【０１３７】
時間領域信号調整部６は、図４に示すように、ノイズ低減部６１と、インパルスシフト部６２と、内挿部６３とを備える。
【０１３８】
ノイズ低減部６１は、逆フーリエ変換部５から出力される信号Ｄｐ４を入力する。ノイズ低減部６１は、信号Ｄｐ４に対して、ノイズ低減処理を実行し、処理後の信号を信号Ｄｐ４１としてインパルスシフト部６２に出力する。
【０１３９】
インパルスシフト部６２は、インパルスシフト量設定値Ｍと、ノイズ低減部６１から出力される信号Ｄｐ４１とを入力する。インパルスシフト部６２は、入力された信号Ｄｐ４１に対して、インパルスシフト量設定値Ｍに基づいて、インパルスシフト処理を実行し、処理後の信号を信号Ｄｐ４２として、内挿部６３に出力する。
【０１４０】
内挿部６３は、インパルスシフト部６２から出力される信号Ｄｐ４２を入力する。内挿部６３は、サンプル点（離散データ数）が８倍となるように、内挿処理を実行し、内挿処理後の信号をＤｐ５としてフーリエ変換部７に出力する。
【０１４１】
フーリエ変換部７は、時間領域信号調整部６から出力される信号Ｄｐ５を入力する。フーリエ変換部７は、入力された信号Ｄｐ５に対して、ＦＦＴ処理を実行し、ＦＦＴ処理後の信号を信号Ｄｐ６として、位相調整部８に出力する。
【０１４２】
位相調整部８は、フーリエ変換部７から出力される信号Ｄｐ６を入力する。位相調整部８は、入力された信号Ｄｐ６に対して、位相調整処理を実行し、処理後の信号を信号Ｄｐ７として、バッファ部９に出力する。
【０１４３】
バッファ部９は、位相調整部８からから出力される信号Ｄｐ７を格納し、所定のタイミング（伝送特性補正部１０が処理可能となるタイミング）で、伝送特性補正部１０に、格納している信号Ｄｐ７を信号Ｄｐ８として、出力する。
【０１４４】
ＦＥ部１は、プレアンブルの信号を受信した後、ペイロードの信号を受信する。
【０１４５】
ペイロード用ＦＦＴ部２は、同期検出部１Ａにより取得された同期タイミングに基づいて、所定のタイミングで、データ用の拡張ＯＦＤＭシンボル内のＬ×Ｎ個（Ｌ：自然数）のサンプルのＯＦＤＭシンボルを切り出す。ペイロード用ＦＦＴ部２は、ＦＥ部１から出力される信号Ｄ１（＝ｄ（ｎ）＊ｈ（ｎ））に対して、図５に示すように、（ＲＩ＋δ）だけＧＩ方向にシフトさせたＤａｔａ用ＦＦＴ窓ＦＦＴｗ２によりＦＦＴ処理を実行する。なお、ＲＩは、ＲＩ区間の時間であり、δは、ＳＹＮＣＰ用のＦＦＴ窓のシフト量（シフト時間）と同一のシフト量（シフト時間）である。
【０１４６】
そして、ペイロード用ＦＦＴ部２は、ＦＦＴ処理により取得した信号を信号Ｄ２として、伝送特性補正部１０に出力する。
【０１４７】
伝送特性補正部１０は、図３Ｂに示すように、伝送特性補正部用第１除算部１０１と、伝送特性補正部用第２除算部１０２と、を備える。伝送特性補正部１０は、ペイロード用ＦＦＴ部２から出力される信号Ｄ２と、バッファ部９から出力される信号Ｄｐ８とを入力する。伝送特性補正部１０は、信号Ｄｐ８に基づいて、信号Ｄ２に対して伝送特性補正処理を実行し、処理後の信号を信号Ｄ３として復調部１１に出力する。
【０１４８】
復調部１１は、伝送特性補正部１０から出力される信号Ｄ３に対して、復調処理（データ送信装置Ｔｘの変調処理に対応する復調処理（例えば、ＰＳＫ復調処理、ＱＡＭ復調処理））を行い、信号Ｄｏｕｔを取得する。
【０１４９】
＜１．２：通信システム１０００の動作＞
以上のように構成された通信システム１０００の動作について、以下、説明する。
【０１５０】
ＦＥ部（フロントエンド部）２は、伝送路ＰＬを介して、データ送信装置Ｔｘ１から出力されるＯＦＤＭ信号を受信する。
【０１５１】
同期検出部１Ａは、受信したＯＦＤＭ信号のプレアンブルに対して同期検出処理を行う。つまり、同期検出部１Ａにおいて、シンボル同期をとる処理が実行される。
【０１５２】
プレアンブル用ＦＦＴ部３では、ＦＥ部１から出力される信号Ｄｐ１（＝ｐ（ｎ）＊ｈ（ｎ））に対して、図５に示すように、δだけプレアンブルの先頭方向にシフトさせたＳＹＮＣＰ用ＦＦＴ窓ＦＦＴｗ１によりＦＦＴ処理が実行される。
【０１５３】
プレアンブル用ＦＦＴ部３は、上記のように設定したＳＹＮＣＰ用ＦＦＴ窓ＦＦＴｗ１により、信号Ｄｐ１のＮ個のサンプル（データ）に対して、ＦＦＴ演算を行い、信号Ｄｐ２を取得する。ｐ（ｎ）をフーリエ変換した信号をＰ（ｋ）とし、ｈ（ｎ）をプレアンブル用ＦＦＴ部３でフーリエ変換した信号をＨｐ（ｋ）と表記すると、信号Ｄｐ２は、
Ｄｐ２＝Ｐ（ｋ）×Ｈｐ（ｋ）×ｆ（δ）
ｆ（δ）＝ｅｘｐ（−ｉ×２πｋδ／Ｎ）
と表現することができる。
【０１５４】
つまり、プレアンブルは、同一の既知パターンに基づいて生成されたＬ１個（Ｌ１：自然数）の同期用のＯＦＤＭシンボルＳＹＮＣＰから構成されているので、離散フーリエ変換の循環シフトの性質により、図５に示すように、ＳＹＮＣＰ用ＦＦＴ窓ＦＦＴｗ１をシフトした場合、そのシフト量は、離散フーリエ変換領域において、上記のｆ（δ）として表現することができる。なお、説明便宜のため、Ｌ１＝１０として、以下、説明する。
【０１５５】
プレアンブル用ＦＦＴ部３により、上記処理が実行されることで取得された信号Ｄｐ２（＝Ｐ（ｋ）×Ｈｐ（ｋ）×ｆ（δ））は、プレアンブル用ＦＦＴ部３から除算部４に出力される。
【０１５６】
除算部４では、プレアンブル用ＦＦＴ部３から出力される信号Ｄｐ２は、既知パターンである同期パターンＰ（ｋ）（同期用のＯＦＤＭシンボルＳＹＮＣＰに含められた既知パターン）で除算処理される。つまり、除算部４では、
Ｄｐ３＝Ｄｐ２／Ｐ（ｋ）
＝Ｐ（ｋ）×Ｈｐ（ｋ）×ｆ（δ）／Ｐ（ｋ）
＝Ｈｐ（ｋ）×ｆ（δ）
に相当する処理が実行されることで、信号Ｄｐ３が取得される。
【０１５７】
そして、除算部４により取得された信号Ｄｐ３は、除算部４から逆フーリエ変換部５に出力される。
【０１５８】
逆フーリエ変換部５では、信号Ｄｐ３のＮ個のデータに対して、逆ＦＦＴ演算処理が実行される。つまり、逆フーリエ変換部５では、
Ｄｐ４＝ＩＦＦＴ［Ｈｐ（ｋ）×ｆ（δ）］
＝ｈｐ（ｎ−δ）
ＩＦＦＴ［］：逆ＦＦＴ演算
に相当する処理が実行され、信号Ｄｐ４が取得される。
【０１５９】
そして、逆フーリエ変換部５により取得された信号Ｄｐ４は、逆フーリエ変換部５から時間領域信号調整部６のノイズ低減部６１に出力される。
【０１６０】
ノイズ低減部６１では、信号Ｄｐ４に対して、ノイズ低減処理が実行される。これについて、図６を用いて説明する。
【０１６１】
図６は、信号Ｄｐ４（＝ｈｐ（ｎ−δ））のインパルス応答波形を示した図である。図６に示すように、主波のインパルス成分は、ｎ＝ａ１の位置に存在しており、反射波のインパルス成分は、ｎ＝ｂ１の位置に存在しており、反射波のインパルス成分は、主波のインパルス成分の０．５倍であるものとして、以下、説明する。
【０１６２】
なお、図５に示すように、主波に対する反射波の遅延時間をｔ１とする。そして、δは、同期用のＯＦＤＭシンボルＳＹＮＣＰについて、ＦＦＴ処理を行う場合のナイキスト値Ｎ／２に相当する時間以下であるとする。
【０１６３】
また、（δ＋ｔ１）は、（１）同期用のＯＦＤＭシンボルＳＹＮＣＰについてＦＦＴ処理を行う場合のナイキスト値Ｎ／２に相当する時間よりも長い時間であり、かつ、（２）Ｄａｔａ用のＯＦＤＭシンボル（ＧＩ部分を含む）についてＦＦＴ処理を行う場合のナイキスト値（８×Ｎ）／２に相当する時間よりも短い時間であるものとする。
【０１６４】
ノイズ低減部６１では、信号Ｄｐにおいて、閾値Ｔｈを設定し、信号Ｄｐの成分値が閾値Ｔｈよりも小さい信号値を「０」にする（信号値の絶対値が低減された値に置換する）。これにより、信号Ｄｐ４（＝ｈｐ（ｎ−δ））のインパルス応答波形に含まれるノイズ成分を効果的に低減することができる。なお、閾値Ｔｈは、例えば、データ受信装置１００の各機能部を制御する制御部（不図示）により設定されるものであってもよい。また、閾値Ｔｈは、信号Ｄｐ４（＝ｈｐ（ｎ−δ））のインパルス応答波形を分析し、主波および反射波と想定される極大値をとる信号値を検出し、検出した極大値をとる信号値に基づいて、決定するようにしてもよい。例えば、主波および反射波と想定される極大値をとる信号値のうちの最小値のｋ倍（０≦ｋ≦１）の値を閾値Ｔｈとして設定するようにしてもよい。
【０１６５】
なお、ノイズ低減部６１では、信号Ｄｐにおいて、閾値Ｔｈを設定し、信号Ｄｐの成分値が閾値Ｔｈよりも小さい信号値を「０」にするのではなく、信号Ｄｐの成分値が閾値Ｔｈよりも小さい信号値を、その信号値の絶対値が、元の信号値の絶対値よりも小さい値となるように、信号値を置換するようにしてもよい。
【０１６６】
ノイズ低減部６１により上記処理が実行されることで、ノイズ低減処理が実行された信号Ｄｐ４１が取得される。そして、取得された信号Ｄｓ４１は、ノイズ低減部６１からインパルスシフト部６２に出力される。
【０１６７】
インパルスシフト部６２では、信号Ｄｐ４１に対して、インパルスシフト処理が実行される。これについて、図７を用いて説明する。
【０１６８】
図７は、インパルスシフト部６２によるインパルスシフト処理を説明するための図である。図７は、インパルスシフト部６２によるインパルスシフト処理で取得される信号Ｄｐ４２（＝ｈｐ（ｎ−δ＋Ｍ））のインパルス応答波形を示した図である。
【０１６９】
インパルスシフト部６２では、インパルスシフト量設定値Ｍ（例えば、Ｎ／４＜Ｍ＜Ｎ／２）により、信号Ｄｐ４１に対して、インパルスシフト処理が実行される。具体的には、図７に示すように、インパルスシフト部６２により、信号Ｄｐ４１の主波の信号成分値（ｎ＝ａ１）がインパルスシフト量設定値Ｍだけ左シフトされる。なお、ａ１＜Ｍであるので、左シフトした後の信号Ｄｐ４１の主波の信号成分の位置は、ｎ＝Ｎ−１＋ａ１−Ｍの位置となる。
【０１７０】
また、インパルスシフト部６２により、信号Ｄｐ４１の反射波の信号成分値（ｎ＝ｂ１）がインパルスシフト量設定値Ｍだけ左シフトされる。つまり、左シフトした後の信号Ｄｐ４１の反射波の信号成分の位置は、ｎ＝ｂ１−Ｍの位置となる。
【０１７１】
インパルスシフト部６２により上記処理が実行されることで、インパルスシフト処理が実行された信号Ｄｐ４２（＝ｈｐ（ｎ−δ＋Ｍ））が取得される。そして、取得された信号Ｄｐ４２は、インパルスシフト部６２から内挿部６３に出力される。
【０１７２】
内挿部６３では、信号Ｄｐ４２に対して、サンプル点（離散データ数）が８倍となるように、内挿処理が実行される。これについて、図８を用いて説明する。
【０１７３】
図８は、内挿部６３による内挿処理を説明するための図である。図８は、内挿部６３による内挿処理で取得される信号Ｄｐ５（＝ｈｐ１（ｎ−δ＋Ｍ））のインパルス応答波形を示した図である。なお、ｈｐ１（ｎ−δ＋Ｍ）は、ｈｐ（ｎ−δ＋Ｍ）を内挿処理して取得されるインパルス応答関数である。
【０１７４】
内挿部６３は、インパルス応答信号Ｄｐ４２において、
（１）０≦ｎ≦Ｎ／２の信号波形をそのまま保持し、
（２）Ｎ／２＜ｎ≦４Ｎに、信号値「０」の信号成分を内挿する。
【０１７５】
また、内挿部６３では、インパルス応答信号Ｄｐ４２において、
（１）Ｎ／２＜ｎ≦Ｎ−１の範囲の信号波形を、８Ｎ−１−Ｎ／２＜ｎ≦８Ｎ−１の範囲にシフトさせ、
（２）４Ｎ＜ｎ≦８Ｎ−１−Ｎ／２に、信号値「０」の信号成分を内挿する。
【０１７６】
つまり、内挿部６３は、図８の領域Ｒ＿ｚｅｒｏ（Ｎ／２＜ｎ＜８Ｎ−１−Ｎ／２）の部分に、信号値「０」の信号成分を内挿し、サンプル点（離散データ数）が信号Ｄｐ４２のサンプル点（離散データ数）の８倍となるようにする。
【０１７７】
内挿部６３により上記処理が実行されることで、内挿処理が実行された信号Ｄｐ５（＝ｈｐ１（ｎ−δ＋Ｍ））が取得される。そして、取得された信号Ｄｐ５は、内挿部６３からフーリエ変換部７に出力される。
【０１７８】
フーリエ変換部７では、信号Ｄｐ５の８×Ｎ個のデータに対して、ＦＦＴ演算処理が実行される。つまり、フーリエ変換部７では、
Ｄｐ６＝ＦＦＴ［ｈｐ１（ｎ−δ＋Ｍ）］
＝Ｈｐ１（ｋ）×ｆ１（δ）×ｆ１（−Ｍ）
ｆ１（δ）＝ｅｘｐ（−ｉ×２πｋδ／（８×Ｎ））
ｆ１（−Ｍ）＝ｅｘｐ（ｉ×２πｋＭ／（８×Ｎ））
ＦＦＴ［］：ＦＦＴ演算
に相当する処理が実行され、信号Ｄｐ６が取得される。
【０１７９】
そして、フーリエ変換部７により取得された信号Ｄｐ６は、位相調整部８に出力される。
【０１８０】
位相調整部８では、信号Ｄｐ６に対して、位相調整処理が実行される。つまり、位相調整部８では、
Ｄｐ７＝Ｄｐ６／ｆ１（−Ｍ）
＝Ｈｐ１（ｋ）×ｆ１（δ）
ｆ１（−Ｍ）＝ｅｘｐ（ｉ×２πｋＭ／（８×Ｎ））
に相当する処理が実行され、信号Ｄｐ７が取得される。
【０１８１】
そして、位相調整部８により取得された信号Ｄｐ７は、バッファ部９に出力される。
【０１８２】
なお、位相調整部８による処理は、時間領域において、値Ｍだけ右シフトすることに相当する。これについて、図９を用いて説明する。
【０１８３】
図９は、位相調整部８による位相調整処理を説明するための図である。
【０１８４】
図９に示すように、信号Ｄｐ６をｆ１（−Ｍ）で除算する処理は、図９の反射波のシフト処理後の信号成分（ｎ＝ｂ１−Ｍ）を右にＭだけシフトする処理に相当する。したがって、反射波のシフト処理後の信号成分を右にＭだけシフトすると、シフト後（逆シフト後）の反射波の信号成分の位置は、ｎ＝ｂ１となる。つまり、反射波の信号成分の位置は、インパルスシフト処理前の元の位置に戻る。
【０１８５】
また、信号Ｄｐ６をｆ１（−Ｍ）で除算する処理は、図９の主波のシフト処理後の信号成分（ｎ＝８Ｎ−１＋ａ１−Ｍ）を右にＭだけシフトする処理に相当する。なお、８Ｎ−１＋ａ１＞８Ｎ−１であるので、主波のシフト処理後の信号成分（ｎ＝８Ｎ−１＋ａ１−Ｍ）を右にＭだけシフトすると、シフト後（逆シフト後）の主波の信号成分の位置は、ｎ＝ａ１となる。つまり、主波の信号成分の位置は、インパルスシフト処理前の元の位置に戻る。
【０１８６】
このように処理することで、位相調整処理後の信号Ｄｐ６は、適切に推定された伝送路伝達関数となる。つまり、図５に示すように、反射波に対して、ＳＹＮＣＰ用ＦＦＴ窓のズレ量が、同期用のＯＦＤＭシンボルＳＹＮＣＰについて、ＦＦＴ処理を行う場合のナイキスト値Ｎ／２に相当する時間以上ずれている場合であっても、上記処理により、適切に推定された伝送路伝達関数を取得することができる。
【０１８７】
位相調整部８により上記処理が実行され取得された信号Ｄｐ７（＝Ｈｐ１（ｋ）×ｆ１（δ））は、位相調整部８からバッファ部９に出力され保持される。
【０１８８】
バッファ部９では、所定のタイミング（伝送特性補正部１０が処理可能となるタイミング）で、伝送特性補正部１０に格納されている信号Ｄｐ７（＝Ｈｐ１（ｋ）×ｆ１（δ））が、信号Ｄｐ８として、伝送特性補正部１０に出力される。
【０１８９】
ＦＥ部１は、プレアンブルの信号を受信した後、ペイロードの信号を受信する。
【０１９０】
ペイロード用ＦＦＴ部２は、同期検出部１Ａにより取得された同期タイミングに基づいて、所定のタイミングで、データ用の拡張ＯＦＤＭシンボル内の８×Ｎ個のサンプルのＯＦＤＭシンボルを切り出す。
【０１９１】
ペイロード用ＦＦＴ部２では、ＦＥ部１から出力される信号Ｄ１（＝ｄ（ｎ）＊ｈ（ｎ））に対して、図５に示すように、（ＲＩ＋δ）だけＧＩ方向にシフトさせたＤａｔａ用ＦＦＴ窓ＦＦＴｗ２によりＦＦＴ処理が実行される。
【０１９２】
ペイロード用ＦＦＴ部２は、上記のように設定したＤａｔａ用ＦＦＴ窓ＦＦＴｗ２により、信号Ｄ１の８×Ｎ個のデータに対して、ＦＦＴ演算を行い、信号Ｄ２を取得する。ｄ（ｎ）をフーリエ変換した信号をＤ（ｋ）とし、ｈ（ｎ）をペイロード用ＦＦＴ部２によりフーリエ変換した信号をＨｄ（ｋ）と表記すると、信号Ｄ２は、
Ｄ２＝Ｄ（ｋ）×Ｈｄ（ｋ）×ｆ１（ＲＩ＋δ）
ｆ１（ＲＩ＋δ）＝ｅｘｐ（−ｉ×２πｋ（ＲＩ＋δ）／（８×Ｎ））
と表現することができる。
【０１９３】
つまり、ペイロードにおいて、ＧＩ区間に含まれるサンプルは、データ用のＯＦＤＭシンボルＤａｔａの最後尾からＧＩ区間の同一区間内に存在するサンプルであるので、離散フーリエ変換の循環シフトの性質により、図５に示すように、Ｄａｔａ用ＦＦＴ窓ＦＦＴｗ２をシフトした場合、そのシフト量は、離散フーリエ変換領域において、上記のｆ１（ＲＩ＋δ）として表現することができる。
【０１９４】
ペイロード用ＦＦＴ部２により、上記処理が実行されることで取得された信号Ｄ２（＝Ｄ（ｋ）×Ｈｄ（ｋ）×ｆ１（ＲＩ＋δ））は、ペイロード用ＦＦＴ部２から伝送特性補正部１０に出力される。
【０１９５】
伝送特性補正部１０では、ペイロード用ＦＦＴ部２から出力される信号Ｄ２（＝Ｄ（ｋ）×Ｈｄ（ｋ）×ｆ１（ＲＩ＋δ））に対して、バッファ部９から出力される信号Ｄｐ８（＝Ｈｐ１（ｋ）×ｆ１（δ））により伝送特性補正処理が実行される。具体的には、伝送特性補正部１０では、
Ｄ３０＝Ｄ２／Ｄｐ８
＝Ｄ（ｋ）×Ｈｄ（ｋ）×ｆ１（ＲＩ＋δ）／（Ｈｐ１（ｋ）×ｆ１（δ））
に相当する処理が実行される。Ｈｄ（ｋ）＝Ｈｐ１（ｋ）である場合、以下のようになる。
【０１９６】
ｆ１（ＲＩ＋δ）、ｆ１（δ）は、
ｆ１（ＲＩ＋δ）＝ｅｘｐ（−ｉ×２πｋ（ＲＩ＋δ）／（８×Ｎ））
ｆ１（δ）＝ｅｘｐ（−ｉ×２πｋδ／（８×Ｎ））
であるので、
Ｄ３０＝Ｄ２／Ｄｐ８
＝Ｄ（ｋ）×ｆ１（ＲＩ）
ｆ１（ＲＩ）＝ｅｘｐ（−ｉ×２πｋ（ＲＩ）／（８×Ｎ））
となる。
【０１９７】
伝送特性補正部１０の伝送特性補正部用第１除算部１０１では、上記に相当する処理（除算処理）が実行される。
【０１９８】
さらに、伝送特性補正部１０の伝送特性補正部用第１除算部１０２では、
Ｄ３＝Ｄ３０／ｆ１（ＲＩ）
＝Ｄ（ｋ）
ｆ１（ＲＩ）＝ｅｘｐ（−ｉ×２πｋ（ＲＩ）／（８×Ｎ））
に相当する処理を実行することで、信号Ｄ３（＝Ｄ（ｋ））を取得する。
【０１９９】
そして、伝送特性補正部１０により取得された信号Ｄ３（＝Ｄ（ｋ））は、復調部１１に出力される。
【０２００】
復調部１１では、伝送特性補正部１０から出力される信号Ｄ３（＝Ｄ（ｋ））に対して、復調処理（データ送信装置Ｔｘの変調処理に対応する復調処理（例えば、ＰＳＫ復調処理、ＱＡＭ復調処理））が実行され、信号Ｄｏｕｔ（＝ｄ（ｎ））が取得される。
【０２０１】
以上のように、データ受信装置１００では、同期用のＯＦＤＭシンボルＳＹＮＣＰと同等の時間のＲＩ期間が設けられている場合であっても、適切に伝送路特性推定処理を実行し、また、反射波の遅延量が大きい場合であっても、適切に伝送路特性推定処理を実行することができる。
【０２０２】
つまり、データ受信装置１００では、ＳＹＮＣＰ用ＦＦＴ窓ＦＦＴｗ１をδだけずらしてＦＦＴ処理を行い取得した信号Ｄｐ３（＝Ｈｐ（ｋ）×ｆ（δ））に対して、逆フーリエ変換部５が、逆フーリエ変換処理（例えば、ＩＦＦＴ処理）を実行することで、時間領域の信号Ｄｐ４（＝ｈｐ（ｎ−δ））を取得する。そして、データ受信装置１００では、時間領域の信号Ｄｐ４に対して、ノイズ低減部６１によるノイズ低減処理、値Ｍによるインパルスシフト処理が実行された後、時間領域で、８倍の内挿処理が実行され、８倍の内挿された信号Ｄｐ５（＝ｈｐ１（ｎ−δ＋Ｍ））が取得される。そして、データ受信装置１００では、フーリエ変換部７により、信号Ｄｐ５がフーリエ変換処理（例えば、ＦＦＴ処理）され、取得された信号Ｄｐ６（＝Ｈｐ１（ｋ）×ｆ１（δ）×ｆ１（−Ｍ））に対して、周波数領域（フーリエ変換領域）にて、ｆ１（−Ｍ）を除算することで位相調整処理が実行される。つまり、データ受信装置１００では、時間領域において、信号成分をシフトし、その逆シフトに相当する処理を周波数領域（フーリエ変換領域）で実行する。これにより、データ受信装置１００では、図５に示すように、反射波に対して、ＳＹＮＣＰ用ＦＦＴ窓ＦＦＴｗ１のズレ量が、同期用のＯＦＤＭシンボルＳＹＮＣＰについて、ＦＦＴ処理を行う場合のナイキスト値Ｎ／２に相当する時間以上ずれている場合であっても、適切に推定された伝送路伝達関数（δだけシフトさせて取得した信号Ｈｐ１（ｋ）×ｆ１（δ））を取得することができる。
【０２０３】
また、データ受信装置１００では、ペイロード用ＦＦＴ部２が、Ｄａｔａ用ＦＦＴ窓ＦＦＴｗ２を（ＲＩ＋δ）だけずらしてＦＦＴ処理を行うので、ＲＩ区間を除外して、ＦＦＴ処理を行うことができるため、正しくデータを復元することができないＲＩ区間のシンボルがＦＦＴ処理で使用されることを確実に防止することができる。そして、データ受信装置１００では、ペイロード用ＦＦＴ部２により取得された信号Ｄ２（＝Ｄ（ｋ）×Ｈｄ（ｋ）×ｆ１（ＲＩ＋δ））が、同期用のＯＦＤＭシンボルＳＹＮＣＰを用いて取得された信号Ｄｐ８（＝Ｈｐ１（ｋ）×ｆ１（δ））で除算されることで信号Ｄ３０（＝Ｄ（ｋ）×ｆ１（ＲＩ））が伝送特性補正部１０により取得される（Ｈｄ（ｋ）＝Ｈｐ１（ｋ）の場合）。さらに、データ受信装置１００では、伝送特性補正部１０により、信号Ｄ３０をｆ１（ＲＩ）で除算する処理が実行され、信号Ｄ３（＝Ｄ（ｋ））が取得される。
【０２０４】
したがって、データ受信装置１００では、正しくデータを復元することができないＲＩ区間のサンプルが処理に使用されることなく、適切に推定された伝送路伝達関数（δだけシフトさせて取得した信号Ｈｐ１（ｋ）×ｆ１（δ））を用いて、適切に伝送推定処理を実行することができる。
【０２０５】
以上のように、データ受信装置１００では、同期用のＯＦＤＭシンボルＳＹＮＣＰと同等の時間のＲＩ期間が設けられている場合であっても、適切に伝送路特性推定処理を実行し、また、反射波の遅延量が大きい場合であっても、適切に伝送路特性推定処理を実行することができる。
【０２０６】
［他の実施形態］
上記実施形態では、図１に示す信号に対して処理が実行される場合について、説明したが、これに限定されることはなく、処理対象の信号の構成は、他の構成であってもよい。
【０２０７】
また、上記実施形態では、データ用のＯＦＤＭシンボルＤａｔａのサンプル数が、同期用のＯＦＤＭシンボルＳＹＮＣＰのサンプル数の８倍である場合について説明したが、これに限定されることはない。データ用のＯＦＤＭシンボルＤａｔａのサンプル数が、同期用のＯＦＤＭシンボルＳＹＮＣＰのサンプル数のｍ倍（ｍ：自然数）であってよい、この場合であっても、データ受信装置１００では、内挿部６３での内挿処理等を変更することで、上記同様の処理により、伝送路推定処理を実行することができる。
【０２０８】
また、上記実施形態では、主波と、１つの反射波を受信している場合を例に説明したが、これに限定されることはなく、反射波の数は、２以上であってもよい。この場合も、データ受信装置１００において、上記同様の処理を行うことで、適切な伝送路推定処理を実行することができる。
【０２０９】
また、上記実施形態で説明した状態推定装置において、各ブロックは、ＬＳＩなどの半導体装置により個別に１チップ化されても良いし、一部又は全部を含むように１チップ化されても良い。
【０２１０】
なお、ここでは、ＬＳＩとしたが、集積度の違いにより、ＩＣ、システムＬＳＩ、スーパーＬＳＩ、ウルトラＬＳＩと呼称されることもある。
【０２１１】
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０２１２】
また、上記各実施形態の各機能ブロックの処理の一部または全部は、プログラムにより実現されるものであってもよい。そして、上記各実施形態の各機能ブロックの処理の一部または全部は、コンピュータにおいて、中央演算装置（ＣＰＵ）により行われる。また、それぞれの処理を行うためのプログラムは、ハードディスク、ＲＯＭなどの記憶装置に格納されており、ＲＯＭにおいて、あるいはＲＡＭに読み出されて実行される。
【０２１３】
また、上記実施形態の各処理をハードウェアにより実現してもよいし、ソフトウェア（ＯＳ（オペレーティングシステム）、ミドルウェア、あるいは、所定のライブラリとともに実現される場合を含む。）により実現してもよい。さらに、ソフトウェアおよびハードウェアの混在処理により実現しても良い。
【０２１４】
また、上記実施形態における処理方法の実行順序は、必ずしも、上記実施形態の記載に制限されるものではなく、発明の要旨を逸脱しない範囲で、実行順序を入れ替えることができるものである。
【０２１５】
前述した方法をコンピュータに実行させるコンピュータプログラム及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、大容量ＤＶＤ、次世代ＤＶＤ、半導体メモリを挙げることができる。
【０２１６】
上記コンピュータプログラムは、上記記録媒体に記録されたものに限られず、電気通信回線、無線又は有線通信回線、インターネットを代表とするネットワーク等を経由して伝送されるものであってもよい。
【０２１７】
なお、本発明の具体的な構成は、前述の実施形態に限られるものではなく、発明の要旨を逸脱しない範囲で種々の変更および修正が可能である。
【符号の説明】
【０２１８】
１０００  通信システム
Ｔｘ１  データ送信装置
１  ＦＥ部（フロントエンド部）
２  ペイロード用ＦＦＴ部
３  プレアンブル用ＦＦＴ部
４  除算部
５  逆フーリエ変換部
６  時間領域信号調整部
６１  ノイズ低減部
６２  インパルスシフト部
６３  内挿部
７  フーリエ変換部
８  位相調整部
１０  伝送特性補正部
【図１】
0006373158.tif 000002
【図２】
0006373158.tif 000003
【図３Ａ】
0006373158.tif 000004
【図３Ｂ】
0006373158.tif 000005
【図４】
0006373158.tif 000006
【図５】
0006373158.tif 000007
【図６】
0006373158.tif 000008
【図７】
0006373158.tif 000009
【図８】
0006373158.tif 000010
【図９】
0006373158.tif 000011
【図１０】
0006373158.tif 000012
【図１１】
0006373158.tif 000013
【図１２】
0006373158.tif 000014